(57)【要約】  本発明は、輝度や色度が正しく安定して表示されているかを確認する測定を、確実かつ精度よく行う表示装置を実現するもので、映像表示部と、前記映像表示部による表示を測定する光学検出部と、前記光学検出部による測定を行う測定開始時刻を受け付けると、前記測定開始時刻の第１の所定時間前に前記映像表示部の電源をオンとし、前記測定開始時刻となると前記光学検出部に測定を行わせる制御部と、を有する。
2017064810.tif 000002
【特許請求の範囲】
【請求項１】
映像表示部と、
前記映像表示部による表示を測定する光学検出部と、
前記光学検出部による測定を行う測定開始時刻を受け付けると、前記測定開始時刻の第１の所定時間前に前記映像表示部の電源をオンとし、前記測定開始時刻となると前記光学検出部に測定を行わせる制御部と、を有する表示装置。
【請求項２】
請求項１記載の表示装置において、
前記制御部は、前記第１の所定時間前から前記測定開始時刻までの間に、測定を延期する旨の入力を確認すると、測定開始時刻を現在の測定開始時刻に第２の所定時間を加算したものとする表示装置。
【請求項３】
請求項１または請求項２に記載の表示装置において、
前記制御部は、前記第１の所定時間前から前記測定開始時刻までの間に、測定を中止する旨の入力を確認すると測定を中止する表示装置。
【請求項４】
請求項１記載の表示装置において、
前記制御部は、前記映像表示部の電源をオンとした後であって前記測定開始時刻までの間に、測定を延期する旨の入力を確認すると、測定開始時刻を現在の測定開始時刻に第２の所定時間を加算したものとする表示装置。
【請求項５】
請求項１または請求項４に記載の表示装置において、
前記制御部は、前記映像表示部の電源をオンとした後であって前記測定開始時刻までの間に、測定を中止する旨の入力を確認すると測定を中止する表示装置。
【請求項６】
請求項１乃至請求項５のいずれかに記載の表示装置において、
電源スイッチを備え、
前記制御部は、前記映像表示部の電源をオンとした後であって前記測定開始時刻までの間に、前記電源スイッチの押下を確認すると、測定開始時刻を現在の測定開始時刻に第３の所定時間を加算したものとする表示装置。
【請求項７】
請求項１乃至請求項５のいずれかに記載の表示装置において、
電源スイッチを備え、
前記制御部は、前記測定開始時刻の前記第１の所定時間前から前記測定が終了するまでの間は前記電源スイッチを無効とする表示装置。
【請求項８】
請求項１ないし請求項７のいずれかに記載の表示装置において、
前記制御部は、前記測定の結果に応じて前記映像表示部の表示状態を調整する表示装置。
【請求項９】
請求項１ないし請求項８のいずれかに記載の表示装置において、
前記制御部は、前記測定開始時刻を複数受け付けると、速い測定開始時刻に設定されている測定開始時刻の前記第１の所定時間前に前記映像表示部の電源をオンとして測定を実施し、その間に測定開始時刻となった測定については実施しない表示装置。
【請求項１０】
映像表示部と、前記映像表示部による表示を測定する光学検出部と、制御部とを備えた表示装置で行われる映像表示部の表示測定方法であって、
前記制御部が、前記光学検出部による測定を行う測定開始時刻を受け付けると、前記測定開始時刻の第１の所定時間前に前記映像表示部の電源をオンとし、前記測定開始時刻となると前記光学検出部に測定を行わせる映像表示部の表示測定方法。
【発明の詳細な説明】
【技術分野】
【０００１】
本発明は表示装置に関し、特に、表示される画像の輝度や色度を測定する機能を備えた表示装置に関する。
【背景技術】
【０００２】
医療診断を行うシステムやグラフィックデザインを行うシステムなどで用いられる高輝度かつ高精細な表示装置では、輝度や色度を正しく安定して表示することが重要である。
特に、医療診断システムでは、表示装置が診断に適した表示状態にあることを定期的に確認する必要がある。表示装置の表示状態の確認は、表示装置に表示させたテストパターンを測定することにより行われる（例えば、特許文献１：特開２００８−１６８０４４号公報参照）。【０００３】
測定では、図１１のように、表示装置１１０１の表示画面に測定パターン１１０２を表示させ、表示装置１１０１の表示画面上に配された光学センサ１１０３により表示されている測定パターン１１０１を測定し、結果を保存する。
【先行技術文献】
【特許文献】
【０００４】
【特許文献１】特開２００８−１６８０４４号公報
【発明の概要】
【発明が解決しようとする課題】
【０００５】
図１１に示したように、表示装置の測定は、表示装置１１０１の表示画面上に光学センサ１１０３を配置した状態で行われる。表示装置１１０１は、システムを構成する上位装置より供給される映像信号に応じた表示を行うが、表示画面上に光学センサ１１０３を配置した状態ではシステム利用者が表示を十分に確認することができず、システムを利用することができない。このため、表示装置の測定は、通常業務に差支えのないように、夜間などのシステムが使用されていないときに行われる。
一方、高輝度かつ高精細な表示装置では、十分あたためて安定させるためのエージングを行って、測定を行うことが必要となる。液晶表示装置の場合には、液晶パネルやバックライトなどは、電源投入直後には温度変化が激しく、輝度や色度が変化する要素となる。このような状態では、同じ映像を表示させていても輝度や色度が変化することがある。このため、測定を行う際には、事前に３０分程度のエージングを行うことが望ましい。【０００６】
上述したように、測定はシステムが使用されていない時間帯に行われるが、このような時間帯にエージングを伴う長時間の作業に作業員が従事することは困難である。
また、通常システムが使用されていない時間帯であっても、使用されないことが保証されているわけではない。測定については確実かつ精度よく行うことが重要となる。
本発明は、輝度や色度が正しく安定して表示されているかを確認する測定を、確実かつ精度よく行う表示装置を実現する。
【課題を解決するための手段】
【０００７】
本発明による表示装置は、映像表示部と、
前記映像表示部による表示を測定する光学検出部と、
前記光学検出部による測定を行う測定開始時刻を受け付けると、前記測定開始時刻の第１の所定時間前に前記映像表示部の電源をオンとし、前記測定開始時刻となると前記光学センサに測定を行わせる制御部と、を有する。【０００８】
本発明による映像表示部の表示測定方法は、映像表示部と、前記映像表示部による表示を測定する光学検出部と、制御部とを備えた表示装置で行われる映像表示部の表示測定方法であって、
前記制御  部が、前記光学検出部による測定を行う測定開始時刻を受け付けると、前記測定開始時刻の第１の所定時間前に前記映像表示部の電源をオンとし、前記測定開始時刻となると前記光学センサに測定を行わせる。
【発明の効果】
【０００９】
上記の構成を備える本発明の表示装置では、輝度や色度が正しく安定して表示されているかを確認する測定を、確実かつ精度よく行うことができる。
【図面の簡単な説明】
【００１０】
【図１】本発明による表示装置の第１の実施形態の構成を示すブロック図である。
【図２】図１に示した実施形態で映像表示部１０３の一部に表示されるＯＳＤ画面を示す図である。
【図３】図１に示した実施形態の測定動作を示すフローチャートである。
【図４】本発明による表示装置の第２の実施形態の構成を示すブロック図である。
【図５】図４に示した実施形態の動作を示すフローチャートである。
【図６】図４に示した実施形態の動作を示すフローチャートである。
【図７】複数のスケジュールが表示されたＯＳＤ画面を示す図である。
【図８】複数のスケジュールが設定されたときの実施状態を示す図である。
【図９】複数のスケジュールが設定されたときの実施状態を示す図である。
【図１０】複数のスケジュールが表示されたＯＳＤ画面を示す図である。
【図１１】表示装置の測定状態を示す図である。
【発明を実施するための形態】
【００１１】
（第１の実施形態）
次に、本発明の実施形態について図面を参照して説明する。
図１は、本発明による表示装置の第１の実施形態の構成を示すブロック図である。
図１に示される表示装置１００は、制御部である制御回路１０１、映像処理部である映像処理回路１０２、映像表示部１０３、テストパターン生成部であるテストパターン生成回路１０４、時計部である時計回路１０５、光学検出部である光学センサ１０６、記憶部である記憶回路１０７、およびインターフェース部であるインターフェース（Ｉ／Ｆ）回路１０８から構成されている。
【００１２】
表示装置１００は、上位装置とともに医療診断システムを構成するもので、上位装置からは映像信号および測定開始時刻を示す測定開始信号が入力される。映像信号は映像処理回路１０２に入力され、測定開始信号は制御回路１０１に入力される。Ｉ／Ｆ回路１０８は、システム利用者の入力を受け付ける入力部として表示装置１００自体に設けられたもので、入力内容を示す信号を制御回路１０１へ出力する。なお、Ｉ／Ｆ回路１０８は、リモコンからの信号を受信する受信部を備えていてもよく、リモコンを介してシステム利用者の入力を受け付けるようにしてもよい。
【００１３】
制御回路１０１は、時計回路１０５および記憶回路１０７と接続し、映像処理回路１０２およびテストパターン生成回路１０４へ制御信号を出力し、光学センサ１０６からの検出信号を入力する。
記憶回路１０７は制御回路１０１の動作プログラムを格納するもので、制御回路１０１は記憶回路１０７に格納されている動作プログラムに応じて制御動作を行う。また、記憶回路１０７は測定の結果を記憶する。
【００１４】
テストパターン生成回路１０４は、制御回路１０１からのテストパターンを生成する旨を示すテストパターン制御信号を受け付けるとテストパターンを生成して映像処理回路１０２へ出力する。
映像処理回路１０２には上述した上位装置からの映像信号とテストパターン生成回路１０４からのテストパターンの他に、制御回路１０１からの映像制御信号が入力されている。
映像制御信号は、映像処理回路１０２に、映像表示部１０３に表示させる映像を指示するもので、映像処理回路１０２は映像制御信号の内容に応じて、入力された映像信号およびテストパターンを表示させ、また、ＯＳＤ（オンスクリーンディスプレイ：Ｏｎ−ｓｃｒｅｅｎ  ｄｉｓｐｌａｙ）を映像表示部１０３に表示させる内容の映像信号を生成して映像表示部１０３に出力する。
【００１５】
映像表示部１０３は、映像処理回路１０２から出力された映像信号に応じて映像を表示する。映像表示部１０３は、表示素子である液晶パネルや液晶パネルに光を照射する光源等から構成される。また、映像表示部１０３は、自発光型の表示素子が用いられている場合、光源は不要となる。
光学センサ１０６は、図１１に示したように、映像表示部１０３の一部に表示されたテストパターンを測定し、結果を制御回路１０１へ出力する。
【００１６】
時計回路１０５は時刻を示す時刻信号を制御回路１０１へ出力する。
図２は、本実施形態で映像表示部１０３の一部に表示されるＯＳＤ画面を示す図である。測定開始時刻は、システム利用者が上位装置に設定する。測定開始時刻が設定されると、上位装置は、表示装置に測定開始時刻を通知する。ＯＳＤ画面に表示されている測定開始時刻は、上位装置から入力された測定開始信号が示す測定開始時刻に設定される。
【００１７】
表示装置の表示状態の測定は、測定開始時刻になると開始される。制御回路１０１は時計回路１０５から現在の時刻を示す時刻信号が入力される。制御回路１０１は測定開始時刻になると光学センサ１０６に測定を開始させる。
図３は、本実施形態の測定動作を示すフローチャートである。以下に、図１とともに図３を参照して本実施形態の動作について説明する。
【００１８】
制御回路１０１は、時計回路１０１からの時刻信号を確認することにより、測定開始時刻の第１の所定時間である３０分（エージング時間）前の時刻になったかを確認する（ステップＳ３０１）。ステップＳ３０１にて測定開始時刻の３０分前の時刻になったことが確認されると、映像表示部１０３の電源がオン状態にあるかを確認し（ステップＳ３０２）、映像表示部１０３の電源がオン状態にある場合にはステップＳ３０４へ移行し、映像表示部１０３の電源がオン状態となっていない場合にはオン状態として（ステップＳ３０３）ステップＳ３０４へ移行する。
【００１９】
ステップＳ３０４では、テストパターンおよびＯＳＤの表示が以下のように行われる。
制御回路１０１は、テストパターンを発生させる為にテストパターン制御信号をテストパターン生成回路１０４へ送り、テストパターンを生成させる。このテストパターンは映像処理回路１０２へ送られる。制御回路１０１は映像処理回路１０２に、テストパターンを映像表示部１０３へ出力させるとともに、ＯＳＤを表示させる映像制御信号を送る。これにより、映像表示部１０３へテストパターンとＯＳＤを表示する信号が送られ、テストパターンおよびＯＳＤが表示される。このように、入力映像信号が入っていなくとも、映像表示部１０３へ信号を入れて映すことが可能となり、映像表示部１０３をエージングすることが出来る。
【００２０】
上記のＯＳＤは測定を行うためのエージング中であること、測定の延期や中止が可能であることをシステム利用者に示すために表示するもので、以下が表示される。
「測定を中止する場合ＳＷ１を押してください」
「測定開始を延期する場合ＳＷ２を押してください」
スイッチＳＷ１，ＳＷ２は、Ｉ／Ｆ回路１０８に設けられているが、上位装置に設けるものとしてもよい。
【００２１】
ステップＳ３０４の後には、スイッチＳＷ１，ＳＷ２の押下状態を監視することで、延期処理が入ったかの確認（ステップＳ３０５）、中止処理が入ったかの確認（ステップＳ３０７）、測定開始時刻になったかの確認（ステップＳ３０８）が行われる。ステップＳ３０５にてスイッチＳＷ１が押下されたことが確認された場合には、測定開始時刻を現在の測定開始時刻に第２の所定時間である１時間加算したものとし（ステップＳ３０６）、ステップＳ３０１に戻って上記の動作を繰り返す。
【００２２】
ステップＳ３０７にてスイッチＳＷ２が押下されたことが確認された場合には、終了となる。
制御回路１０１は、時計回路１０１からの時刻信号により測定開始時刻となったことを確認すると、テストパターン（所定の画像）として表示される、白／黒／赤／緑／青や各色の中間調の色（所定の色および／または各色の中間調の色）の輝度や色度（輝度および／または色度）の測定を光学センサ１０６に行わせ（ステップＳ３０９）、光学センサ１０６より送られてきた測定結果を記憶回路１０７に保存して（ステップＳ３１０）終了する。
【００２３】
なお、上述した実施形態では、測定開始時刻は上位装置から入力された測定開始信号に基づいて設定されたが、Ｉ／Ｆ回路１０８への測定開始時刻の入力に基づいて設定される構成としてもよい。例えば、システム利用者はＩ／Ｆ回路１０８を介して測定開始時刻の設定開始を入力する。制御回路１０１は測定開始時刻の入力を促すＯＳＤを映像表示部１０３に表示させる。システム利用者はＩ／Ｆ回路１０８を介して測定開始時刻を入力する。Ｉ／Ｆ回路１０８は入力された測定開始時刻を示す測定開始信号を制御回路１０１へ出力する。制御回路１０１は、入力された測定開始信号に基づいて測定開始時刻を設定する。制御回路１０１は時計回路１０５からの時刻信号を用いてエージング開始時刻になるとエージングを開始し、測定開始時刻になると光学センサ１０６に測定を開始させる。
【００２４】
また、上述した実施形態では、制御回路１０１は時計回路１０５からの時刻信号によりエージング開始時刻や測定開始時刻の確認を行うものとして説明したが、制御回路１０１はＩ／Ｆ回路１０８への測定開始時刻の入力に連動して、エージング開始時刻や測定開始時刻にアラーム信号を送出するように時計回路１０５を制御する構成としてもよい。
また、測定結果は記憶回路１０７に保存することとして説明したが、その後、記憶回路１０７に保存されている測定結果をＯＳＤで表示することとしてもよい。さらには、携帯端末の外部アプリケーションにより記憶回路１０７に保存されている測定結果の取り出しを可能な構成としてもよい。このような構成とすることにより、システム利用者の測定結果の確認が容易となる。
【００２５】
上記の構成による本実施形態の表示装置においては、予め設定された測定開始時刻となると、エージングが完了した状態で表示状態の測定が行われるので、確実かつ精度の高い測定を行うことができる。
また、測定が設定された時間帯にシステムを利用する事態が発生した場合でも、測定の延期や中止が可能となっており、システムの利用状況に応じて柔軟に対処することができるものとなっている。
【００２６】
測定が延期または中止とされてシステムが利用される場合には、表示装置はエージング中であったため、すぐに本来の表示特性の状態で使用することが可能となる。
上記の中断処理または延期処理は、実施形態で説明したように、ＯＳＤを確認したシステム利用者がＩ／Ｆ回路１０８へ入力する構成のほかに、例えば、人感センサを設けて、エージング開始（時刻）から測定開始（時刻）までの間に人感センサが人を感知したときに中止または延期する構成としても良い。この場合、人感センサによる中止または延期はシステム利用者により設定可能としてもよい。中止と設定された場合、人感センサから出力される人を感知したことに対応する信号は、測定を中止する旨の信号となる。延期と設定された場合、人感センサから出力される人を感知したことに対応する信号は、測定を延期する旨の信号となる。なお、人感センサは、物を検出するセンサでもよく、例えば、表示部の前の所定の範囲に物があることを検出すると、検出した物を人として判定して動作してもよい。
【００２７】
また、延期した場合、本来エージング時間は映像表示部などを温めるための物であるため、十分温まったことが確認出来れば、エージング時間を省略することも可能である。つまり、延期処理が入った場合でも十分エージング時間以上電源が入っている状態であれば、エージング済の状態として測定をスタートしても良い。具体的には、図３に示すフローチャートにおけるステップＳ３０1でのエージングを０として処理して進むこととなり、ステップＳ３０８の処理をYESとして進むものとなる。
【００２８】
ただし、一度電源が落とされると、映像表示部が冷めるため、再度エージングスタートからするのが望ましい。また、上記はエージングされていることを十分とするため時間で管理しているが、内部に図示しない温度センサを設けて、温度によって管理しても良い。その場合は、温度が飽和したかどうかで判断すればよいことになる。飽和したかどうかは、例えば、所定時間における温度の変化量が所定値以下であるかにより確認すればよい。
測定開始時刻は、ＯＳＤで確認し、Ｉ／Ｆ回路１０８で設定することとして説明したが、表示装置１００に図示しない通信ラインを設けて、ＰＣ等からアプリケーションにて使用開始時刻を設定することとしても良い。
【００２９】
延期時間については１時間としたが、１時間にこだわる必要もなく、ユーザーが延期時間を設定できるようにしても良い。
ステップＳ３０９で行われる測定の結果が、表示状態が悪いことを示すものである場合、制御回路１０１が映像表示部１０３の表示状態を調整し、測定結果と調整結果を記憶回路１０７に保存することとしてもよい。このような構成とすることで、システム利用者が使用する際には、正しい表示状態にて使用することが可能となる。
【００３０】
また、測定結果に応じて、表示状態の良否をＯＳＤで表示させるようにシステム利用者が設定することが可能な構成としてもよい。
なお、図１では、テストパターンを生成してエージングを実施しているが、信号を既に受信している場合には、テストパターンを生成しなくとも、受信している信号を表示することとしても良い。
【００３１】
ＯＳＤで確認し、Ｉ／Ｆ回路１０８で設定する時刻を測定開始時刻としているが、エージング開始時刻としても良い。上述した調整を行う場合には、調整時刻とした方が望ましい。
（第２の実施形態）
次に、本発明の第２の実施形態について説明する。
【００３２】
図４は本発明による表示装置の第２の実施形態の構成を示すブロック図である。
本実施形態の表示装置１００の構成は図１に示したものと同様である。本実施形態は、図１では不図示としていた電源スイッチに係る動作を制御するものであるため、図４には電源スイッチ４０１を具体的に示している。
【００３３】
本実施形態は、エージング中にシステム利用者が間違えて表示装置１００の電源スイッチ４０１をオフ状態とすることを想定し、これに対処するものである。
電源スイッチ４０１をオフ状態とすることは、表示装置１００の映像表示部１０３に電源が入っていない電源オフ状態とすることを意味する。
【００３４】
電源スイッチ４０１をシステム利用者が押下することで電源スイッチ４０１が出力した電源スイッチ信号が制御回路１０１に入力されることで、制御回路１０１はシステム利用者が電源スイッチ４０１を押下したかを判断することが出来る。
例えば、表示装置１００が上位装置から送られてきた映像信号に示される映像を表示している時に、電源スイッチ４０１が押下されて電源スイッチ信号が入力されると、制御回路１０１は表示装置１００の電源を落とすことが出来、また、表示装置１００の電源が入っていない時に、電源スイッチ４０１が押下されて電源スイッチ信号が入力されると、制御回路１０１は表示装置１００の電源を投入することが可能となる。
【００３５】
図５は本実施形態の動作を示すフローチャートであり、図３に示したフローチャートにステップＳ５０１〜Ｓ５０３が追加されている。
本実施形態では、エージングが始まった段階で、延期処理が入ったかの確認（ステップＳ３０５）、中止処理が入ったかの確認（ステップＳ３０７）、とともに電源スイッチ４０１が押下されたかどうかの確認（ステップＳ５０１）が行われる。
【００３６】
ステップＳ５０１にて電源スイッチ４０１が押下されたことが確認された場合には、測定開始時刻を現在の測定開始時刻に第３の所定時間である１時間加算したものとし（ステップＳ５０２）、電源オフ状態として（ステップＳ５０３）、ステップＳ３０１に戻って上記の動作を繰り返す。
ステップＳ５０１にて電源スイッチ４０１が押下されたことが確認されなければ、図３と同じ処理となる。なお、上記の動作において、第３の所定時間は第２の所定時間と同じ１時間として説明したが、これらは同じ時間である必要はなく、任意に設定されてよい。
【００３７】
上記の動作とすることにより、システム利用者が電源スイッチ４０１をオフ状態とした場合であっても、測定開始時刻が延長された後に測定が開始されることとなる。
また、上記の実施形態では、一度電源オフ状態とすることとして説明しているが、図６のフローチャートに示すように、測定の開始時に電源スイッチを無効化し（ステップＳ６０１）、測定終了時に電源スイッチを有効化する（ステップＳ６０２）ことで、ユーザーが間違えて電源オフ状態とすることを防止することも可能である。
【００３８】
また、表示装置に設けられた電源スイッチの誤押下ではなく、電源プラグがコンセントから抜けた場合にこれに対処することについて検討する。
図３のステップＳ３０４の測定開始時に、測定状態フラグを測定開始として記憶回路１０７に記憶させ、ステップＳ３０８の結果保存時に測定状態フラグを測定終了として記憶回路１０７に記憶させることとする。
【００３９】
上記の間に、電源プラグがコンセントから抜けることで、図３に示したフローチャートの途中で中断することになってしまうが、この後、電源プラグがコンセントに挿入された際に、記憶回路１０７をチェックし、測定状態フラグが測定開始と書かれていた場合には、「測定開始時刻−エージング時間」になった場合と同じ処理、すなわち、ステップＳ３０２以後の動作を行うこととすることで、その時点からエージングをスタートさせて測定を行うことが可能となる。
上記の動作を行うことした場合には、エージングや測定の途中で電源プラグがコンセントから抜けた場合でも、再度電源が入った時に測定を始められることが出来るため、測定をし忘れることがなくなる。
【００４０】
また、「測定開始時刻−エージング時間」になる前に電源プラグがコンセントから抜けていた場合でも、図２で設定した時刻での計測を終えたかどうかのフラグを記憶回路１０７に記憶させておくことで、時計回路１０５が示す時刻と「測定開始時刻−エージング時間」を比較して、既に時刻が過ぎており、かつ、未測定であれば、ステップＳ３０２以後の処理に進ませることで測定を可能とすることが出来る。
【００４１】
（第３の実施形態）
第１の実施形態では、エージングや測定動作中にシステム利用者による延期や中止を実施する場合について説明をしたが、本実施形態は、複数設定された測定スケジュールによる動作がバッティングした場合の動作について説明する。
図７に示すように、測定スケジュール１として土曜日の６：１０が指定され、測定スケジュール２として毎日の６：３０が指定されている。
【００４２】
図８は、スケジュール１とスケジュール２のエージングと測定の時刻の推移を示すもので、２つのスケジュールによりエージングや測定動作が重なる時間帯が発生する場合には、早い時刻に設定されているスケジュールによる動作が起動し、図３に示したフローチャートに従って、エージングと測定の処理がなされる。早い時刻に設定されているスケジュール１による測定処理が終わった後に、スケジュール２の予定をチェックし、スケジュールが重なっていれば、スケジュール２による処理をスキップすることとする。これは、同じくらいの時刻に同じ測定を２回しても意味がないためである。
【００４３】
また、図９に示すように、スケジュール１の予定時刻による測定が延期された場合においても、延期後の終了時刻までの間に、スケジュール２が予定されていれば、上記と同様にスキップされる。
上記によらず、準備から終了までのトータル時刻にて複数のスケジュールが重なる場合に、例えば、スケジュール番号の若い数字が優先度上として、優先度が高いもののみを実施しても良い。
【００４４】
また、スケジュールの優先順位をユーザーが設定できるようにしても良い。
さらに、スケジュールで実行される機能を選択するようにした場合、実行される機能に応じて処理を優先して実施することとしてもよい。図１０には、測定スケジュール１として土曜日の６：１０に「測定」を行うことが指定され、測定スケジュール２として毎日の６：３０に「調整」を行うことが指定されている。本実施形態の場合には「調整」の方が優先度は高いものとされているので、スケジュール２のみが実施されることとなる。
【符号の説明】
【００４５】
１００    表示装置
１０１    制御回路
１０２    映像処理回路
１０３    映像表示部
１０４    テストパターン生成回路
１０５    時計回路
１０６    光学センサ
１０７    記憶回路
１０８    Ｉ／Ｆ回路
４０１    電源スイッチ
【図１】
2017064810.tif 000003
【図２】
2017064810.tif 000004
【図３】
2017064810.tif 000005
【図４】
2017064810.tif 000006
【図５】
2017064810.tif 000007
【図６】
2017064810.tif 000008
【図７】
2017064810.tif 000009
【図８】
2017064810.tif 000010
【図９】
2017064810.tif 000011
【図１０】
2017064810.tif 000012
【図１１】
2017064810.tif 000013
【国際調査報告】
2017064810.tif 000014
2017064810.tif 000015
2017064810.tif 000016
2017064810.tif 000017